(57)【要約】【課題】ディスプレイ装置用フィルタと該フィルタを備えるプラズマディスプレイ装置の機能を效果的に改善でき、生産費用を低減させ、かつ生産歩留まりを向上させ得るディスプレイ装置を提供することにある。【解決手段】本発明のディスプレイ装置用フィルタは、１つのベースフィルム層の前面には、反射防止層を形成させ、背面には、電磁波遮蔽層を形成させた構造を有する。また、様々な機能を有する粘着剤層を備え、電磁波遮蔽層の側面に接地部材を形成させた構造を有する。これにより、ディスプレイ装置用フィルタと前記フィルタを備えるプラズマディスプレイ装置の機能を效果的に改善でき、生産費用を低減させ、生産歩留まりを向上させることができる。【選択図】図１
2006310867.tif 000002
【特許請求の範囲】
【請求項１】
１つのベースフィルム層と、
該ベースフィルム層の一面に形成される反射防止層と、
前記ベースフィルム層の他面に形成される電磁波遮蔽層と
を備えたことを特徴とするディスプレイ装置用フィルタ。
【請求項２】
前記電磁波遮蔽層上に形成される粘着剤層をさらに備えたことを特徴とする請求項１に記載のディスプレイ装置用フィルタ。
【請求項３】
前記粘着剤層上に形成される保護層をさらに備えたことを特徴とする請求項２に記載のディスプレイ装置用フィルタ。
【請求項４】
前記反射防止層が、外部光吸収タイプ又は外部光散乱タイプのうち少なくとも何れか1
つのタイプであることを特徴とする請求項１に記載のディスプレイ装置用フィルタ。
【請求項５】
前記電磁波遮蔽層が、メッシュタイプ又はスパッタタイプであることを特徴とする請求項１に記載のディスプレイ装置用フィルタ。
【請求項６】
前記反射防止層が前記ベースフィルム層の前面に直接形成され、前記電磁波遮蔽層が前記ベースフィルム層の背面に直接形成されることを特徴とする請求項１に記載のディスプレイ装置用フィルタ。
【請求項７】
１つのベースフィルム層と、
該ベースフィルム層上に形成される電磁波遮蔽層と、
該電磁波遮蔽層上に形成される粘着剤層と
を備え、
該粘着剤層は、近赤外線遮断機能又は色補正機能のうち少なくとも何れか１つの機能を有することを特徴とするディスプレイ装置用フィルタ。
【請求項８】
前記粘着剤層が、近赤外線遮断物質又は色補正物質のうち少なくとも何れか１つの物質を含むことを特徴とする請求項７に記載のディスプレイ装置用フィルタ。
【請求項９】
前記近赤外線遮断物質は、近赤外線遮断顔料又は近赤外線遮断染料のうち少なくとも何れか１つであることを特徴とする請求項８に記載のディスプレイ装置用フィルタ。
【請求項１０】
前記色補正物質は、色補正顔料または色補正染料のうち少なくとも何れか１つであることを特徴とする請求項８に記載のディスプレイ装置用フィルタ。
【請求項１１】
外部光を吸収又は散乱させるための反射防止層をさらに備えたことを特徴とする請求項７に記載のディスプレイ装置用フィルタ。
【請求項１２】
前記粘着剤層上に形成される保護層をさらに備えたことを特徴とする請求項７に記載のディスプレイ装置用フィルタ。
【請求項１３】
前記電磁波遮蔽層が、メッシュタイプ又はスパッタタイプであることを特徴とする請求項７に記載のディスプレイ装置用フィルタ。
【請求項１４】
１つのベースフィルム層と、
該ベースフィルム層の前面に形成される反射防止層と、
前記ベースフィルム層の背面に形成される電磁波遮蔽層と、
該電磁波遮蔽層の側面（edge side）で前記電磁波遮蔽層と接触するように形成される接地部材と
を備えたことを特徴とするディスプレイ装置用フィルタ。
【請求項１５】
前記接地部材が、前記反射防止層の前面のエッジまで延長されることを特徴とする請求項１４に記載のディスプレイ装置用フィルタ。
【請求項１６】
前記接地部材が、前記電磁波遮蔽層の背面のエッジまで延長されることを特徴とする請求項１４に記載のディスプレイ装置用フィルタ。
【請求項１７】
前記接地部材が、前記反射防止層の前面のエッジまで延長されるとともに、前記電磁波遮蔽層の背面のエッジまで延長されることを特徴とする請求項１４に記載のディスプレイ装置用フィルタ。
【請求項１８】
前記接地部材が、導電性膜であることを特徴とする請求項１４に記載のディスプレイ装置用フィルタ。
【請求項１９】
前記接地部材が、導電性テープであることを特徴とする請求項１４に記載のディスプレイ装置用フィルタ。
【請求項２０】
前記ベースフィルム層、前記反射防止層及び前記電磁波遮蔽層のエッジが実質的に同じであることを特徴とする請求項１４に記載のディスプレイ装置用フィルタ。
【請求項２１】
前記電磁波遮蔽層の背面に形成される粘着剤層をさらに備えたことを特徴とする請求項１４に記載のディスプレイ装置用フィルタ。
【請求項２２】
前記粘着剤層は、近赤外線遮断機能又は色補正機能のうち少なくとも１つの機能を有することを特徴とする請求項２１に記載のディスプレイ装置用フィルタ。
【請求項２３】
前記粘着剤層は、近赤外線遮断物質又は色補正物質のうち少なくとも１つの物質を含むことを特徴とする請求項２２に記載のディスプレイ装置用フィルタ。
【請求項２４】
前記粘着剤層の背面に形成される保護層をさらに備えたことを特徴とする請求項２１に記載のディスプレイ装置用フィルタ。
【請求項２５】
前記電磁波遮蔽層が、メッシュタイプ又は導電膜タイプであることを特徴とする請求項１４に記載のディスプレイ装置用フィルタ。
【請求項２６】
前記反射防止層が、外部光吸収タイプ又は外部光散乱タイプのうち少なくとも何れか１つのタイプであることを特徴とする請求項１４に記載のディスプレイ装置用フィルタ。
【請求項２７】
前記反射防止層が前記ベースフィルム層の前面に直接形成され、前記電磁波遮蔽層が前記ベースフィルム層の背面に直接形成されることを特徴とする請求項１４に記載のディスプレイ装置用フィルタ。
【請求項２８】
請求項１，７又は１４のうちのいずれか１項に記載のフィルタを備えたことを特徴とするプラズマディスプレイ装置。
【請求項２９】
前記フィルタは、ガラスフィルタ又はフィルムフィルタであることを特徴とする請求項２８に記載のプラズマディスプレイ装置。
【発明の詳細な説明】
【技術分野】
【０００１】
本発明は、ディスプレイ装置に関し、さらに詳細には、ディスプレイ装置用フィルタ及びそれを含むプラズマディスプレイ装置に関する。
【背景技術】
【０００２】
近年、半導体技術の急速な進歩にともない、各種電子装置の低電圧化及び低電力化と共に、電子機器の小型化、薄型化及び軽量化傾向に従って、新しい環境に適した電子ディスプレイ装置としてフラットディスプレイ装置に関する要求が急激に増大しつつある。
【０００３】
これにより、プラズマディスプレイ装置（Plasma Display Apparatus）、液晶ディスプレイ装置（Liquid Crystal Display）、有機ダイオードディスプレイ装置（Organic Light Emitting Diodes）などのフラットディスプレイ装置が開発されている。特に、フラットディスプレイ装置の中で、薄型化及び軽量化が可能で、大画面の実現が可能なプラズマディスプレイ装置が次世代ディスプレイ装置として注目されつつある。
【０００４】
一方、ディスプレイ装置は、その種類に応じて固有の光特性を有し、外部光によりその表示面から反射光が生じるという問題を抱えていた。また、ディスプレイ装置の実現時に電磁波または近赤外線などが表示面から放出されるという問題を持っている。これを改善するために、従来のディスプレイ装置は、表示面上にフィルタを具備している。フィルタは、上述したそれぞれの問題を解決するためのそれぞれの機能層が備えられた複数の層からなる。このようなフィルタは、それぞれの機能層をそれぞれのベースフィルム層上に形成させた後、これを粘着剤を利用して積層させる方法で製造された。これにより、従来には、複数の機能層製造工程及び複数の積層工程によって工程数が増加し、生産歩留まりが低下し、ディスプレイ装置の生産費用が上昇するという問題があった。
【発明の開示】
【発明が解決しようとする課題】
【０００５】
そこで、本発明は、上記した従来の問題を解決するためになされたものであって、その目的は、ディスプレイ装置用フィルタと該フィルタを備えるプラズマディスプレイ装置の機能を效果的に改善でき、生産費用を低減させ、かつ生産歩留まりを向上させ得るディスプレイ装置を提供することにある。
【課題を解決するための手段】
【０００６】
本発明の一実施形態に係るディスプレイ装置用フィルタは、１つのベースフィルム層と、該ベースフィルム層の一面に形成される反射防止層と、前記ベースフィルム層の他面に形成される電磁波遮蔽層とを備える。
【０００７】
本発明の他の実施形態に係るディスプレイ装置用フィルタは、１つのベースフィルム層と、該ベースフィルム層上に形成される電磁波遮蔽層と、該電磁波遮蔽層上に形成される粘着剤層とを備え、該粘着剤層は、近赤外線遮断機能又は色補正機能のうち少なくとも何れか１つの機能を有する。
【０００８】
本発明のさらに他の実施形態に係るディスプレイ装置用フィルタは、１つのベースフィルム層と、該ベースフィルム層の前面に形成される反射防止層と、前記ベースフィルム層の背面に形成される電磁波遮蔽層と、該電磁波遮蔽層の側面（edge side）で前記電磁波遮蔽層と接触するように形成される接地部材とを備える。
【０００９】
本発明の一実施形態に係るプラズマディスプレイ装置は、本発明の実施形態に係るフィルタのうちのいずれかのフィルタを備える。
【発明の効果】
【００１０】
本発明によれば、ディスプレイ装置用フィルタと該フィルタを備えるプラズマディスプレイ装置の機能を效果的に改善でき、生産費用を低減させ、かつ生産歩留まりを向上させることができる。
【発明を実施するための最良の形態】
【００１１】
以下、本発明の最も好ましい実施形態を、添付した図面を参照しながら詳説する。
【００１２】
本発明の一実施形態に係るディスプレイ装置用フィルタは、１つのベースフィルム層と、該ベースフィルム層の一面に形成される反射防止層と、前記ベースフィルム層の他面に形成される電磁波遮蔽層とを備える。
【００１３】
前記電磁波遮蔽層上に形成される粘着剤層をさらに備えることが好ましい。
【００１４】
前記粘着剤層上に形成される保護層をさらに備えることが好ましい。
【００１５】
前記反射防止層が、外部光吸収タイプ又は外部光散乱タイプのうち少なくとも何れか１つのタイプであることが好ましい。
【００１６】
前記電磁波遮蔽層が、メッシュタイプ又はスパッタタイプであることが好ましい。
【００１７】
前記反射防止層が前記ベースフィルム層の前面に直接形成され、前記電磁波遮蔽層が前記ベースフィルム層の背面に直接形成されることが好ましい。
【００１８】
本発明の他の実施形態に係るディスプレイ装置用フィルタは、１つのベースフィルム層と、該ベースフィルム層上に形成される電磁波遮蔽層と、該電磁波遮蔽層上に形成される粘着剤層とを備え、該粘着剤層は、近赤外線遮断機能又は色補正機能のうち少なくとも何れか１つの機能を有する。
【００１９】
前記粘着剤層が、近赤外線遮断物質又は色補正物質のうち少なくとも何れか１つの物質を含むことが好ましい。
【００２０】
前記近赤外線遮断物質は、近赤外線遮断顔料又は近赤外線遮断染料のうち少なくとも何れか１つであることが好ましい。
【００２１】
前記色補正物質は、色補正顔料または色補正染料のうち少なくとも何れか１つであることが好ましい。
【００２２】
外部光を吸収又は散乱させるための反射防止層をさらに備えたことが好ましい。
【００２３】
前記粘着剤層上に形成される保護層をさらに備えることが好ましい。
【００２４】
前記電磁波遮蔽層が、メッシュタイプ又はスパッタタイプであることが好ましい。
【００２５】
本発明のさらに他の実施形態に係る志津プレイ装置用フィルタは、１つのベースフィルム層と、該ベースフィルム層の前面に形成される反射防止層と、前記ベースフィルム層の背面に形成される電磁波遮蔽層と、該電磁波遮蔽層の側面（edge side）で前記電磁波遮蔽層と接触するように形成される接地部材とを備える。
【００２６】
前記接地部材が、前記反射防止層の前面のエッジまで延長されることが好ましい。
【００２７】
前記接地部材が、前記電磁波遮蔽層の背面のエッジまで延長されることが好ましい。
【００２８】
前記接地部材が、前記反射防止層の前面のエッジまで延長され、前記電磁波遮蔽層の背面のエッジまで延長されることが好ましい。
【００２９】
前記接地部材が、導電性膜であることが好ましい。
【００３０】
前記接地部材が、導電性テープであることが好ましい。
【００３１】
前記ベースフィルム層、前記反射防止層及び前記電磁波遮蔽層のエッジが実質的に同じであることが好ましい。
【００３２】
前記電磁波遮蔽層の背面に形成される粘着剤層をさらに備えることが好ましい。
【００３３】
前記粘着剤層は、近赤外線遮断機能又は色補正機能のうち少なくとも何れか１つの機能を有することが好ましい。
【００３４】
前記粘着剤層は、近赤外線遮断物質又は色補正物質のうち少なくとも何れか１つの物質を含むことが好ましい。
【００３５】
前記粘着剤層の背面に形成される保護層をさらに備えることが好ましい。
【００３６】
前記電磁波遮蔽層が、メッシュタイプ又は導電膜タイプであることが好ましい。
【００３７】
前記反射防止層が、外部光吸収タイプ又は外部光散乱タイプのうち少なくとも何れか１つのタイプであることが好ましい。
【００３８】
前記反射防止層が前記ベースフィルム層の前面に直接形成され、前記電磁波遮蔽層が前記ベースフィルム層の背面に直接形成されることが好ましい。
【００３９】
本発明の一実施形態に係るプラズマディスプレイ装置は、本発明の実施形態に係るフィルタのうち少なくとも何れか１つのフィルタを備えたことを特徴とする。
【００４０】
前記フィルタは、ガラスフィルタ又はフィルムフィルタであることが好ましい。
【００４１】
その他の実施形態の具体的な事項らは、詳細な説明及び図面に含まれている。本発明の利点及び特徴、そしてそれらを達成する方法は、添付する図面と共に詳細に後述している実施形態を参照すれば明確になる。明細書全体にかけて同じ参照符号は、同じ構成要素を表す。
【００４２】
＜第１の実施形態＞
【００４３】
図１は、本発明の第１の実施形態に係るディスプレイ装置用フィルタを説明するための図である。
【００４４】
図１に示すように、本発明の第１の実施形態に係るディスプレイ装置用フィルタは、ベースフィルム層１１０、反射防止層１２０及び電磁波遮蔽層１３０を備える。
【００４５】
ベースフィルム層１１０は、反射防止層１２０を形成する基礎となる。ベースフィルム層１１０は、ディスプレイ装置の表示光を透過させ得る透明な物質で形成する。好ましくは、ベースフィルム層１１０は、透明性を有するＰＥＴ（Polyethyleneterephthalate）フィルムまたはＴＡＣ（Tantalum Carbide）フィルムなどで形成する。
【００４６】
反射防止層１２０は、ベースフィルム層１１０の一面に形成される。本発明の第１の実施形態に係る反射防止層１２０は、外部光吸収タイプ又は外部光散乱タイプのうち少なくとも何れか１つのタイプを使用する。すなわち、外部光吸収タイプの反射防止層、外部光散乱タイプの反射防止層または外部光吸収タイプと外部光散乱タイプの複合層からなる反射防止層を使用することができる。
【００４７】
外部光吸収タイプの反射防止層は、屈折率が互いに異なる複数の屈折層からなる。屈折率が互いに異なる複数の屈折層を介して外部光が吸収されることによって、反射防止機能を有するようになる。すなわち、外部光吸収タイプの反射防止層は、相対的に高屈折率を有する第１屈折層と、相対的に低屈折率を有する第２屈折層が積層された構造を有する。外部光吸収タイプの反射防止層は、第１屈折層と第２屈折層が１つのセットとなって単位反射防止層をなし、その必要に応じて、単位反射防止層が複数で積層される構造を有することができる。第１屈折層は、ＴｉＯ２又はＳｎＯ２を含み、その屈折率は、略１．４６である。第２屈折層は、ＳｉＯ２を含み、その屈折率は、略１．６５である。
【００４８】
外部光散乱タイプの反射防止層は、反射防止層自体をなす第１物質と、第１物質より粒子の大きさが大きい第２物質が混合された混合層を含む。これにより、外部光散乱タイプの反射防止層は、その表面に屈曲を有する。表面の屈曲により外部光を散乱させて、外部光の反射を抑制する機能を果たす。
【００４９】
電磁波遮蔽層１３０は、ベースフィルム層１１０の他面に形成される。電磁波遮蔽層１３０は、ディスプレイ装置で発生する電磁波がディスプレイ装置の前面を介して放出されることを遮蔽させるためのものである。本発明の第１の実施形態に係る電磁波遮蔽層１３０は、メッシュタイプ又はスパッタタイプのうちのいずれかを使用する。
【００５０】
図１に示す電磁波遮蔽層１３０は、メッシュタイプの電磁波遮蔽層である。メッシュタイプの電磁波遮蔽層１３０は、ベースフィルム層１１０上に導電性を有する金属層をメッシュパターンに形成したものであって、メッシュパターンの金属層を接地するために、その終端に接地部１３１を有する。
【００５１】
スパッタタイプの電磁波遮蔽層は、誘電体層（Ｄ）と金属層（Ｍ）を（ＤＭＤ）ｎの構造で形成したものである。誘電体層（Ｄ）は、実質的にＩＴＯ，ＺｎＯなどの透明導電体で形成する。また、金属層（Ｍ）は、銀（Ａｇ）などの低抵抗金属で形成する。スパッタタイプの電磁波遮蔽層は、ｎ値が大きくなるほど、すなわち電磁波遮蔽層の積層される層数が増加するほど、電磁波遮蔽層の抵抗値が減ることに対し、ｎ値が大きくなるほど、生産費用が増加する。このような点を考慮して、最適のｎ値を決定するようにする。一方、スパッタタイプの電磁波遮蔽層は、電磁波遮蔽だけでなく近赤外線吸収機能を有する。
【００５２】
このように、本発明の第１の実施形態に係るディスプレイ装置用フィルタは、１つのベースフィルム層１１０の前面には、反射防止層１２０が直接形成され、背面には、電磁波遮蔽層１３０が直接形成される構造を有する。これにより、生産工数を減らすことができ、生産歩留まりを向上させることができる。
【００５３】
すなわち、反射防止機能を有する反射防止層を別のベースフィルム層に形成せず、電磁波遮蔽機能を有する電磁波遮蔽層を別のベースフィルム層に形成しないことによって、それぞれの機能層の製造工程及び積層工程の数を減らすことができる。また、それぞれの機能層を積層する過程において、異質物が含まれる等により不良が発生することを減らすことができる。
【００５４】
粘着剤層１４０は、電磁波遮蔽層１３０上に形成される。粘着剤層１４０は、本発明の第１の実施形態に係るディスプレイ装置用フィルタをディスプレイ装置に付着させるか、または他の機能層に積層させる。
【００５５】
保護層１５０は、粘着剤層１４０上に形成される。保護層１５０は、完成されたフィルタを保護するためのものである。本発明の第１の実施形態では、粘着性を有する粘着剤層１４０を保護するために粘着剤層上にのみ形成されたが、その必要に応じて反射防止層上またはフィルタの側面などにも形成されることができる。保護層は、フィルタをディスプレイ装置に形成する際に除去される。
【００５６】
一方、本発明のフィルタのそれぞれの機能を有する層は、本発明の第１の実施形態に限定されず、ディスプレイ装置の機能的要求に相応して、追加または削除が可能である。また、各機能性層の形成順序も製造工程の便宜のために変更できる。
【００５７】
図２は、本発明の第１の実施形態に係るディスプレイ装置用フィルタを備えるプラズマディスプレイ装置を説明するための図である。
【００５８】
図２に示すように、本発明の第１の実施形態に係るプラズマディスプレイ装置は、プラズマディスプレイパネル２００及びプラズマディスプレイパネル上に形成されるフィルタ１００を備える。
【００５９】
プラズマディスプレイパネル２００は、画像がディスプレイされる表示面である前面基板２０１上にスキャン電極２０２及びサステイン電極２０３が対をなして形成された複数の維持電極対が配列された前面パネル２１０、及び背面をなす後面基板２１１上に複数の維持電極対と交差するように複数のアドレス電極２１３が配列された後面パネル２２０が一定距離を隔てて平行に結合される。
【００６０】
前面パネル２１０は、透明なＩＴＯ物質からなる透明電極２０２ａ，２０３ａとバス電極２０２ｂ，２０３ｂからなるスキャン電極２０２及びサステイン電極２０３が対をなして含まれる。スキャン電極２０２及びサステイン電極２０３は、上部誘電体層２０４により覆われ、上部誘電体層２０４上には、保護層２０５が形成される。
【００６１】
後面パネル２２０には、放電セルを区画するための隔壁２１２を備えられる。また、複数のアドレス電極２１３が隔壁２１２に対し平行に配置される。アドレス電極２１３上には、Ｒ（Red），Ｇ（Green），Ｂ（Blue）蛍光体２１４が塗布される。アドレス電極２１３と蛍光体２１４との間には、下部誘電体層２１５が形成される。ここで、図２は、プラズマディスプレイパネル構造の一例を示したものであって、電極構造または隔壁構造などをその必要に応じて別にすることができる。
【００６２】
プラズマディスプレイパネル２００は、前面パネル２１０と後面パネル２２０との間に形成された隔壁２１２が１つの単位セルをなすものであって、各セル内には、ネオン（Ｎｅ）、ヘリウム（Ｈｅ）またはネオン及びヘリウムの混合気体（Ｎｅ＋Ｈｅ）などの主放電気体と少量のキセノンを含有する不活性ガスが充填されている。高周波電圧により放電される時、不活性ガスは、真空紫外線（Vacuum Ultraviolet rays）を発生し、かつ隔壁２１２の間に形成された蛍光体２１４を発光させて画像を実現する。
【００６３】
画像を実現するプラズマディスプレイパネル２００の背面には、フレームと駆動装置（図示せず）などを組み立ててプラズマディスプレイモジュールを製作する。プラズマディスプレイモジュールに、外形を決定するケース（図示せず）などを形成すれば、プラズマディスプレイ装置が完成される。
【００６４】
このような構造を有するプラズマディスプレイ装置は、プラズマ放電のための高周波を印加して画像を実現することから、カラー陰極線管（ＣＲＴ）や液晶ディスプレイ装置より表示面から電磁波がより多く放出される。
【００６５】
したがって、本発明の第１の実施形態に係るプラズマディスプレイ装置は、プラズマディスプレイパネル２００上に図１で述べた本発明の第１の実施形態に係るディスプレイ装置用フィルタを具備させる。本発明の第１の実施形態に係るプラズマディスプレイ装置に備えられたフィルタ１００の構造を、図１のＡ領域で表示されたプラズマディスプレイ装置の断面を参照してさらに詳説すると、次の通りである。プラズマディスプレイ装置のフィルタ１００は、１つのベースフィルム層１１０と、ベースフィルム層１１０の前面に直接形成される反射防止層１２０と、ベースフィルム層１１０の背面に直接形成される電磁波遮蔽層１３０と、フィルタ１００をプラズマディスプレイパネルの前面基板２０１に粘着させるための粘着剤層１４０とを備える。
【００６６】
フィルタ１００に関する特徴は、図１の説明時に十分に記述したので、その説明は省略する。
【００６７】
このように、本発明の第１の実施形態に係るプラズマディスプレイ装置は、本発明の第１の実施形態に係るディスプレイ装置用フィルタを備えることによって、他のディスプレイ装置より、電磁波遮蔽において、その効果を上昇させることができる。また、生産歩留まりの向上と生産費用の低減を図ることができる。
【００６８】
一方、本発明の第１の実施形態に係るフィルタは、フィルムフィルタタイプ又はガラスフィルタタイプで形成できる。フィルタのタイプは、フィルタがプラズマディスプレイパネルに形成される構造によって区分される。フィルムフィルタタイプは、図２のように、フィルタ１００をプラズマディスプレイパネル２００に直接付着させたものであって、ガラスフィルタタイプは、プラズマディスプレイパネル２００と離隔される所定のガラス基板上にフィルタ１００を付着させたものである。
【００６９】
本発明の第１の実施形態におけるディスプレイ装置用フィルタは、ディスプレイ装置の様々な機能を改善するためのそれぞれの機能層を別に形成せず、１つのベースフィルム層に直接形成させた構造を有する。特に、プラズマディスプレイ装置に用いられるフィルタは、他のディスプレイ装置に用いられるフィルタと比較して、フィルタ自体により多様な機能が求められる。したがって、本発明の第１の実施形態に係るディスプレイ装置用フィルタをプラズマディスプレイ装置に使用することによって、プラズマディスプレイ装置の生産効率を向上させ、生産費用を低減するのに充分な効果を有することができる。
【００７０】
＜第２の実施形態＞
【００７１】
図３は、本発明の第２の実施形態に係るディスプレイ装置用フィルタを説明するための図である。
【００７２】
図３に示すように、本発明の第２の実施形態に係るディスプレイ装置用フィルタは、ベースフィルム層１１０、電磁波遮蔽層１３０及び粘着剤層３４０を含む。
【００７３】
本発明の第２の実施形態に係るディスプレイ装置用フィルタは、本発明の第１の実施形態に係るディスプレイ装置用フィルタとは異なり、粘着体層３４０が近赤外線遮断機能又は色補正機能のうち少なくとも何れか１つの機能を有する。
【００７４】
このような近赤外線遮断機能又は色補正機能を有するために、粘着体層３４０には、近赤外線遮断物質又は色補正物質のうち少なくとも何れか１つの物質を含む。この時、近赤外線遮断物質は、近赤外線遮断顔料または近赤外線遮断染料のうち少なくとも何れか１つを使用することが好ましい。
【００７５】
また、色補正物質は、色補正顔料または色補正染料のうち少なくとも何れか１つを使用するようにする。色補正機能は、表示光色補正機能であって、ディスプレイ装置の駆動時に発生する表示光の色を補正するための機能である。ディスプレイ装置は、その種類に応じて固有の表示光特性を有する。表示光特性は、２つのケースに分けられる。すなわち、特定波長帯の色が異なる波長帯の色に比べてめだってみえるケースと、特定波長帯の色が他の波長帯の色に比べて人の肉眼で認知できないケースに分けられる。前者の場合には、特定波長帯の色が外部に放出されることを低減する方法で色を補正することができ、後者の場合には、特定波長帯の色が外部に放出されることを増加させる方法で色を補正することができる。
【００７６】
本発明の第２の実施形態に係る粘着体層３４０は、表示光の色補正のために、表示光色補正物質を含むようにする。表示光色補正物質は、アミン系染料、硫黄アミン系染料、金属酸化物系顔料顔料または有機顔料のうち少なくとも何れか１つを使用することが好ましい。
【００７７】
ここで、本発明の粘着体層の近赤外線遮断機能又は色補正機能は、前に言及された物質が粘着体層３４０に添加されることによるものであるとは限定しない。例えば、近赤外線は、導電膜積層構造などで遮断される点を考慮する時、本発明の粘着体層は、物質を添加する方法の他にその構造を変更する方法でも近赤外線遮断機能又は色補正機能を有することができる。
【００７８】
このように、本発明の第２の実施形態に係るフィルタは、近赤外線遮断機能又は色補正機能を有する粘着体層３４０を含む構造を有することによって、生産工数を減らすことができ、生産歩留まりを向上させることができる。
【００７９】
すなわち、近赤外線遮断機能を有する別途の機能層を別途のベースフィルム層に形成せず、色補正機能を有する別途の機能層を別途のベースフィルム層に形成しないことによって、機能層製造工程及び積層工程数を減らすことができる。また、それぞれの機能層を積層す過程で異質物が含まれる等により発生する不良を減らすことができる。また、様々な機能を有することによって、フィルタの機能を向上させることができる。
【００８０】
本発明の第２の実施形態に係るフィルタは、外部光を吸収または外部光を散乱させるための反射防止層１２０をさらに備える。本発明の第２の実施形態に係るフィルタは、様々な機能を有する粘着剤層３４０を備えると共に、本発明の第１の実施形態と同様に、１つのベースフィルム層１１０の前面には、反射防止層１２０が直接形成され、背面には、電磁波遮蔽層１３０が直接形成される構造を有することによって、生産工数を減らし、生産歩留まりを向上させるのに上昇効果を有することができる。
【００８１】
本発明の第２の実施形態に係るディスプレイ装置用フィルタも保護層１５０をさらに備える。また、電磁波遮蔽層は、メッシュタイプ又はスパッタタイプのうちのいずれかのタイプの電磁波遮蔽層が用いられる。このように、本発明の第２の実施形態に係るディスプレイ装置用フィルタの特徴の中で、本発明の第１の実施形態に係るディスプレイ装置用フィルタと実質的に同じ特徴に関する説明は、図１を通じて十分に記述したので、省略する。
【００８２】
一方、本発明のフィルタのそれぞれの機能を有する層は、本発明の第２の実施形態に限定されず、ディスプレイ装置の機能的要求に相応して追加または削除が可能である。また、各機能性層の形成順序も製造工程の便宜のために変更できる。
【００８３】
図４は、本発明の第２の実施形態に係るディスプレイ装置用フィルタを備えるプラズマディスプレイ装置を説明するための図である。
【００８４】
図４に示すように、本発明の第２の実施形態に係るプラズマディスプレイ装置は、プラズマディスプレイパネル２００及びプラズマディスプレイパネル上に形成されるフィルタ３００を備える。
【００８５】
プラズマディスプレイ装置は、電磁波を放出するだけでなく、Ｎｅ，Ｘｅのような不活性ガスから誘導される近赤外線を放出するようになるが、このような近赤外線は、家電製品のリモートコントローラの波長と極めて近くて誤作動を起こす恐れがある。また、プラズマディスプレイ装置は、蛍光体の特性に応じて、他のディスプレイ装置に比べて樺色の波長が多く放出されるという特徴を有する。
【００８６】
したがって、本発明の第２の実施形態に係るプラズマディスプレイ装置は、プラズマディスプレイパネル２００上に、図３を通じて言及された本発明の第２の実施形態に係るフィルタを備える。
【００８７】
本発明の第２の実施形態に係るプラズマディスプレイ装置に備えられたフィルタ３００の構造を、図４のＢ領域で表示されたプラズマディスプレイ装置の断面を参照してさらに詳説すると、次の通りである。プラズマディスプレイ装置のフィルタ３００は、１つのベースフィルム層１１０と、ベースフィルム層１１０の前面に直接形成される反射防止層１２０と、ベースフィルム層１１０の背面に直接形成される電磁波遮蔽層１３０と、フィルタ３００をプラズマディスプレイパネルの前面基板２０１に粘着させ、近赤外線遮断機能又は色補正機能のうち少なくとも何れか１つの機能を有する粘着剤層３４０とを備える。
【００８８】
本発明の第２の実施形態に係るプラズマディスプレイ装置の特徴及び効果の中で、図１〜図３を通じて記述された内容と実質的に同じ説明は省略する。
【００８９】
このように、本発明の第２の実施形態に係るプラズマディスプレイ装置は、本発明の第２の実施形態に係るディスプレイ装置用フィルタを備えることによって、生産歩留まりの向上と生産費用の低減を図ることができ、プラズマディスプレイ装置の機能をさらに向上させることができる。
【００９０】
＜第３の実施形態＞
【００９１】
図５は、本発明の第３の実施形態に係るディスプレイ装置用フィルタを説明するための図である。
【００９２】
図５に示すように、本発明の第３の実施形態に係るディスプレイ装置用フィルタは、ベースフィルム層１１０、反射防止層１２０、電磁波遮蔽層１３０及び接地部材５６０を備える。
【００９３】
本発明の第３の実施形態に係るフィルタは、本発明の第１の実施形態及び第２の実施形態に係るフィルタとは異なり、電磁波遮蔽層１３０の側面で電磁波遮蔽層１３０と接触するように形成される接地部材５６０を備える。好ましくは、接地部材５６０として導電性テープを使用する。また、接地部材５６０は、導電性膜で形成することも好ましい。また、電磁波遮蔽層１３０を接地するための接地空間を確保する手段として、導電性のテープまたは導電性膜を電磁波遮蔽膜１３０の側面に沿って形成することによって、電磁波遮蔽層１３０の接地が容易なようにすることができる。
【００９４】
電磁波遮蔽層は、電磁波遮蔽層を接地させるための接地部材を必要とする。本発明の第３の実施形態では、別途に電磁波遮蔽層を接地部材と接触させるために、電磁波遮蔽層の前面または背面を露出させる必要がなく、ベースフィルム層１１０、反射防止層１２０及び電磁波遮蔽層１３０は、実質的に同じエッジを有する。ここで、同じエッジとは、ベースフィルム層１１０、反射防止層１２０及び電磁波遮蔽層１３０のそれぞれのサイド（side）の長さが互いに同じであること、反射防止層１２０と電磁波遮蔽層１３０のエッジが実質的に一致することを意味する。
【００９５】
すなわち、電磁波遮蔽層の前面または背面が露出されるように、ベースフィルム層及び反射防止層などを形成した後、エッジ部分を除去する工程が不要となる。また、ベースフィルム及び反射防止層などのエッジ部分を電磁波遮蔽層のエッジ部分より小さく設計して形成し、それぞれを精密にアラインメントさせて積層する工程が不要となる。このように、本発明の第３の実施形態では、電磁波遮蔽層の側面に接地部材が接触されるように形成することによって、工程数を低減し、工程歩留まりを向上させることができると共に、接地するための空間の確保が可能になることから、接地を容易なようにすることができる。
【００９６】
本発明の第３の実施形態では、接地部材５６０を反射防止層１２０の前面のエッジまで延長させて、接地部材５６０の接地するための空間をさらに容易に確保でき、電磁波遮蔽層１３０をさらに安定して接地させることができる。また、接地部材５６０を電磁波遮蔽層１３０の背面のエッジまで延長させて、接地部材５６０と電磁波遮蔽層１３０の接触面を広くすることができ、電磁波遮蔽層１３０をさらに安定して接地させることができる。また、接地部材５６０を反射防止層１２０の前面のエッジまで延長させ、電磁波遮蔽層１３０の背面のエッジまで延長させて、その効果を上昇させることができる。
ここで、前面のエッジまで延長させるとは、接地部材５６０の端辺が反射防止層１２０（電磁波遮蔽層１３０）の前面の端辺と一致する場合と、接地部材５６０の端辺が反射防止層１２０（電磁波遮蔽層１３０）の前面の端辺と端辺近傍の領域まで延長する場合とを含む。
【００９７】
一方、接地部材５６０は、ディスプレイ装置のグラウンド電圧源と接続させる。
【００９８】
このように、本発明の第３の実施形態に係るフィルタは、さらに簡単な構造を有することによって、生産工数を減らすことができ、生産歩留まりを向上させることができる。
【００９９】
本発明の第３の実施形態に係るディスプレイ装置用フィルタも、近赤外線遮断機能又は色補正機能を有する粘着剤層３４０をさらに備えることができる。また、保護層１５０をさらに備える。本発明の第３の実施形態に係るディスプレイ装置用フィルタの特徴及び効果の中で、本発明の第１及び第２の実施形態に係るディスプレイ装置と実質的に同じ特徴及び効果に関する説明は、図１及び図３を通じて詳細に記述したので省略する。
【０１００】
図６は、本発明の第３の実施形態に係るディスプレイ装置用フィルタの製造方法を説明するための図である。
【０１０１】
図６に示すように、本発明の第３の実施形態に係るフィルタは、次のような工程により製造される。
【０１０２】
図６の（ａ）のように、透明性ベースフィルム層１１０の前面に反射防止層１２０を形成する。図６の（ｂ）のように、電磁波遮蔽層１３０を形成するためのパターンが形成されたマスク５０をベースフィルム層１１０の背面に整列する。図６の（ｃ）のように、マスク５０に形成されたパターンに沿って導電性物質をコーティングして、電磁波遮蔽層１３０を形成する。図６の（ｄ）の電磁波遮蔽層１３０の側面に沿って接地部材５６０を形成する。接地部材５６０は、例えば、反射防止層１２０の前面のエッジから、反射防止層１２０、ベースフィルム層１１０及び電磁波遮蔽層１３０の側面に延在し、電磁波遮蔽層１３０の背面のエッジまで延長されるように、導電テープを貼り付けることで形成する。また、接地部材５６０は、反射防止層１２０の前面のエッジから、反射防止層１２０、ベースフィルム層１１０及び電磁波遮蔽層１３０の側面に延在し、電磁波遮蔽層１３０の背面のエッジまで延長されるように、導電性ペーストをスクリーン印刷することにより形成することも可能である。
接地部材５６０の形成後、図６の（ｅ）の電磁波遮蔽層１３０の背面に粘着剤層３４０を形成する。図６の（ｆ）のように、粘着剤層３４０背面に保護層１５０を形成する。
【０１０３】
図７は、本発明の第３の実施形態に係るフィルタの他の製造方法を示した図である。
【０１０４】
図７に示すように、本発明の第３の実施形態に係るフィルタは、次のような工程により製造される。
【０１０５】
図７の（ａ）のように、ベースフィルム層１１０の前面に反射防止層１２０を形成する。図７の（ｂ）のように、ベースフィルム層１１０の背面に導電性金属層６０をコーティングする。図７の（ｃ）のように、導電性金属層６０上にフォトレジスト６１をコーティングする。図７の（ｄ）のように、電磁波遮蔽層１３０を形成するためのパターンが形成されたマスク６３をフォトレジスト６１上に整列する。図７の（ｅ）のように、マスクに形成されたパターンに沿って、現像、露光、エッチング等の工程により電磁波遮蔽層１３０を形成する。図７の（ｆ）のように、電磁波遮蔽層１３０を接地するための接地部材５６０を電磁波遮蔽層１３０の側面に形成する。接地部材５６０は、例えば、反射防止層１２０の前面のエッジから、反射防止層１２０、ベースフィルム層１１０及び電磁波遮蔽層１３０の側面に延在し、電磁波遮蔽層１３０の背面のエッジまで延長されるように、導電テープを貼り付けることで形成する。また、接地部材５６０は、反射防止層１２０の前面のエッジから、反射防止層１２０、ベースフィルム層１１０及び電磁波遮蔽層１３０の側面に延在し、電磁波遮蔽層１３０の背面のエッジまで延長されるように、導電性ペーストをスクリーン印刷することにより形成することも可能である。
接地部材５６０の形成後、図７の（ｇ）のように、電磁波遮蔽層１３０の背面に粘着剤層３４０を形成する。図７の（ｈ）のように、粘着剤層３４０の背面に保護層１５０を形成する。
【０１０６】
ここで、図６と図７のフィルタ製造方法は、フィルタ製造工程中に接地部材５６０を形成する工程が含まれる。すなわち、ディスプレイ装置にフィルタを形成した後に、接地部材を形成する工程が不要となる。図６と図７の接地部材形成工程は、導電性テープを使用すれば、容易に接地部材を形成できる。
【０１０７】
図８は、本発明の第３の実施形態に係るディスプレイ装置用フィルタを備えるプラズマディスプレイ装置を説明するための図である。
【０１０８】
図８に示すように、本発明の第３の実施形態に係るプラズマディスプレイ装置は、プラズマディスプレイパネル２００及びプラズマディスプレイパネル上に形成されるフィルタ５００を備える。
【０１０９】
本発明の第３の実施形態に係るプラズマディスプレイ装置に備えられたフィルタ５００の構造を、図８のＣ領域で表示されたプラズマディスプレイ装置の断面を参照して、さらに詳説すると、次の通りである。プラズマディスプレイ装置のフィルタ５００は、１つのベースフィルム層１１０と、ベースフィルム層１１０の前面に直接形成される反射防止層１２０と、ベースフィルム層１１０の背面に直接形成される電磁波遮蔽層１３０と、フィルタ５００をプラズマディスプレイパネルの前面基板２０１に粘着させ、近赤外線遮断機能又は色補正機能のうち少なくとも何れか１つの機能を有する粘着剤層３４０とを備える。また、電磁波遮蔽層１３０の側面で電磁波遮蔽層１３０と直接接触される導電テープタイプの接地部材を備える。
【０１１０】
本発明の第３の実施形態に係るプラズマディスプレイ装置の特徴及び効果の中で、図１〜図７を通じて記述された特徴及び効果と重複する説明は省略する。
【０１１１】
このように、本発明の第３の実施形態に係るプラズマディスプレイ装置は、本発明の一実施形態に係るディスプレイ装置用フィルタを備えることによって、生産歩留まりの向上と生産費用の低減を図り、プラズマディスプレイ装置の機能を改善できる。
【０１１２】
図９は、本発明の第３の実施形態に係るディスプレイ装置用フィルタのさらに他の製造方法を説明するための図である。
【０１１３】
図９に示すように、本発明の第３の実施形態に係るフィルタは、次のような工程により製造される。
【０１１４】
図９の（ａ）のように、図６の方法または図７の方法のうちのいずれかの方法でフィルタ５００を製造する。接地部材を形成させる工程は含めない。この時、それぞれの層は、精密にアラインメントさせる必要なく、概略的にラミネートして付着した後、同じエッジを有するように切り取る方法で形成できる。したがって、アラインメント誤差による歩留まり低下を抑制できる。
【０１１５】
図９の（ｂ）のように、フィルタ５００をラミネートのような方法でディスプレイ装置９００に形成する。この時、フィルタ５００に形成された保護層１５０を除去した後に形成する。
【０１１６】
図９の（ｃ）のように、接地部材５６０をフィルタ５００の側面に沿って形成する。
【０１１７】
このように、図９の製造方法は、図６及び図７とは異なり、フィルタをディスプレイ装置に付着した後、接地部材を形成する工程を有する。すなわち、フィルタの製造時には、接地部材を形成する工程が不要である。このような図９の方法では、導電膜で接地部材を形成することが容易である。すなわち、導電性のペーストをスクリーン印刷して形成することが好ましい。
【０１１８】
図１０は、本発明の第３の実施形態に係るディスプレイ装置用フィルタを備えるプラズマディスプレイ装置の他の構造を説明するための図である。
【０１１９】
図１０に示すように、本発明の第３の実施形態に係るプラズマディスプレイ装置は、プラズマディスプレイパネル２００及びプラズマディスプレイパネル上に形成されるフィルタ５００を備える。
【０１２０】
本発明の第３の実施形態に係るプラズマディスプレイ装置に備えられたフィルタ５００の構造を、図８のＤ領域で表示されたプラズマディスプレイ装置の断面を参照してさらに詳説すると、次の通りである。プラズマディスプレイ装置のフィルタ５００は、１つのベースフィルム層１１０と、ベースフィルム層１１０の前面に直接形成される反射防止層１２０と、ベースフィルム層１１０の背面に直接形成される電磁波遮蔽層１３０と、フィルタ５００をプラズマディスプレイパネルの前面基板２０１に粘着させ、近赤外線遮断機能又は色補正機能のうち少なくとも何れか１つの機能を有する粘着剤層３４０とを備える。また、電磁波遮蔽層１３０の側面で電磁波遮蔽層１３０と直接接触される導電膜タイプの接地部材５６０を備える。
【０１２１】
本発明の第３の実施形態に係る他の構造のプラズマディスプレイ装置の特徴及び効果の中で、図１〜図９を通じて記述された特徴及び効果と重複する説明は省略する。
【０１２２】
このように、本発明の一実施形態に係るプラズマディスプレイ装置は、本発明の一実施形態に係るディスプレイ装置用フィルタを備えることによって、生産歩留まり向上と生産費用の低減を図り、プラズマディスプレイ装置の機能を改善できる。
【０１２３】
なお、本発明は、上記の実施形態に限定されるものではなく、本発明に係る技術的思想から逸脱しない範囲内で様々な変更が可能であり、それらも本発明の技術的範囲に属する。
【図面の簡単な説明】
【０１２４】
【図１】本発明の第１の実施形態に係るディスプレイ装置用フィルタを説明するための図である。
【図２】本発明の第１の実施形態に係るディスプレイ装置用フィルタを備えるプラズマディスプレイ装置を説明するための図である。
【図３】本発明の第２の実施形態に係るディスプレイ装置用フィルタを説明するための図である。
【図４】本発明の第２の実施形態に係るディスプレイ装置用フィルタを備えるプラズマディスプレイ装置を説明するための図である。
【図５】本発明の第３の実施形態に係るディスプレイ装置用フィルタを説明するための図である。
【図６】本発明の第３の実施形態に係るディスプレイ装置用フィルタの製造方法を説明するための図である。
【図７】本発明の第３の実施形態に係るフィルタの他の製造方法を示した図である。
【図８】本発明の第３の実施形態に係るディスプレイ装置用フィルタを備えるプラズマディスプレイ装置を説明するための図である。
【図９】本発明の第３の実施形態に係るディスプレイ装置用フィルタのさらに他の製造方法を説明するための図である。
【図１０】本発明の第３の実施形態に係るディスプレイ装置用フィルタを備えるプラズマディスプレイ装置の他の構造を説明するための図である。
【図１】
2006310867.tif 000003
【図２】
2006310867.tif 000004
【図３】
2006310867.tif 000005
【図４】
2006310867.tif 000006
【図５】
2006310867.tif 000007
【図６】
2006310867.tif 000008
【図７】
2006310867.tif 000009
【図８】
2006310867.tif 000010
【図９】
2006310867.tif 000011
【図１０】
2006310867.tif 000012